(57)【要約】      （修正有）【課題】台所用品の洗浄において、スポンジ、ハケ、タワシなどそれぞれ使い勝手により持ち替えて使用することなく、二度手間かけずに作業できる清掃具を提供する。【解決手段】ハケ２ａ、及び、突起２ｂを清掃部取り付け台４に接着手段で取り付け、ブラシング部５を形成、清掃具本体１ａとブラシング部５をブラシング取り付け手段で取り付け合体させる。清掃具本体１ａとブラシング部５の連動が容易になり違和感なく使用できることを特徴とする。【選択図】図１
0003199369.tif 000002
【実用新案登録請求の範囲】
【請求項１】
清掃具本体(１ａ)の所定箇所にブラシング部取り付け手段(３)によってブラシング部(５)を設けた清掃具(１)であって、ブラシング部(５)に清掃部(２)が設けられていることを特徴とする清掃具。
【請求項２】
前記ブラシング部(５)に設けられている清掃部(２)がハケ(２ａ)及び突起(２ｂ)の少なくともいずれか一方であることを特徴とする請求項１記載の清掃具。
【請求項３】
前記清掃部(２)を清掃部取り付け台(４)に清掃部取り付け手段(２ｃ)で取り付け、ブラシング部(５)を形成し、該ブラシング部(５)が清掃具本体(１ａ)にブラシング部取り付け手段(３)によって取り付けられていることを特徴とする請求項１又は２記載の清掃具。
【請求項４】
前記清掃部(２)にハケ(２ａ)と突起(２ｂ)が交互に設けられていることを特徴とする請求項１〜３のいずれかに記載の清掃具。
【請求項５】
前記ブラシング部取り付け手段(３)が嵌合突起(Ｔ)と嵌合凹部(Ｕ)との嵌合手段(３ａ)で取り付けられていることを特徴とする請求項１〜４のいずれかに記載の清掃具。
【請求項６】
前記ブラシング部取り付け手段(３)が接着手段(３ｂ)であることを特徴とする請求項１〜４のいずれかに記載の清掃具。
【請求項７】
前記清掃具本体(１ａ)の所定箇所に切り込み部(７)が設けられ、該切り込み部(７)によって切り込み片(７ａ)が切り込み部(７)の片側及び両側の少なくともいずれかに形成され、該切り込み部(７)にブラシング部(５)がブラシング部取り付手段(３)を用いて取り付けられブラシング部(５)に清掃部(２)が設けられていることを特徴とする請求項１〜６のいずれかに記載の清掃具。
【考案の詳細な説明】
【技術分野】
【０００１】
本考案はスポンジとハケを合体させることにより汚れを一度に取り去ることを目的とする便利な道具を考案したものである。  
【背景技術】
【０００２】
従来の汚れを落とす作業は洗剤を付けスポンジで洗い、取り残しの汚れはたわし、歯ブラシなどで持ち替え再度洗い直しをすることで二度手間かける作業が主流である。
【先行技術文献】
【特許文献】
【０００３】
【特許文献１】特開平１１−２１６０９３号公報
【特許文献２】実用新案登録第３０３５３７３号公報
【考案の概要】
【考案が解決しようとする課題】
【０００４】
しかしながら、上記、特開平１１−２１６０９３号公報においての洗浄用品は、水筒のふたのような円形の物、又、細い部分の洗浄には適さない(特許文献１)。実用新案登録第３０３５３７３号公報においてはブラシング部分を使用する際には常に力をいれるので握力が必要で手の力の弱い人には適さない。又、細い部分の洗浄にも適さない。(特許文献２)。本考案清掃具は細部残留付着物を取り除く際スポンジで洗い、次にたわし、歯ブラシに持ち替えることなく、二度手間かけず汚れを取り去ることを解決する。
【課題を解決するための手段】
【０００５】
本考案の１によれば、清掃具本体(１ａ)の所定箇所にブラシング部取り付け手段(３)によってブラシング部(５)を設けた清掃具(１)であって、ブラシング部(５)に清掃部(２)が儲けられていることを特徴とする。                                                  係る構成によれば、清掃具本体(１ａ)の所定の取り付け箇所にブラシング部(５)をブラシング部取り付け手段(３)である嵌合手段(３ａ)、又は、接着手段(３ｂ)で取り付けることにより清掃具本体(１ａ)に清掃部(２)であるハケ(２ａ)及び、突起(２ｂ)を備えた清掃具(１)になる。清掃具本体(１ａ)は従来のように洗剤をつけ柔軟性をいかし洗浄物をキズ付けることなく清掃する。又、ブラシング部(５)は焦げ付き、カッティング模様など細かい部分の汚れ落としに適している。本考案の清掃具(１)は二面性をもつ洗浄用品として持ち替えることなく二度手間かけず汚れを取り去る効果をあげている。
【０００６】
本考案の２によれば、前記ブラシング部(５)に設けられている清掃部(２)がハケ(２ａ)及び突起(２ｂ)の少なくともいずれか一方であることを特徴とする。
係る構成によれば、清掃部(２)であるハケ(２ａ)及び、突起(２ｂ)の少なくともいずれかの一方を清掃部取り付け手段(２ｃ)である接着、圧縮などで清掃部取り付け台(４)に取り付けブラシング部(５)を形成、該ブラシング部(５)はハケ(２ａ)のみのもの、又は、突起(２ｂ)のみのものが清掃部(２)仕様でブラシング部(５)を形成した清掃具(１)である。洗浄物によりハケ(２ａ)のみのもの、突起(２ｂ)のみのものと使い分けが可能な清掃具(１)となる。清掃具本体(１ａ)は従来のように洗剤をつけ柔軟性をいかし洗浄物をキズ付けることなく清掃する。又、ブラシング部(５)は焦げ付き、カッティング模様など細かい部分の汚れ落としに適している。本考案の清掃具(１)は二面性をもつ洗浄用品として持ち替えることなく二度手間かけず汚れを取り去る効果をあげている。
【０００７】
本考案の３によれば、前記清掃部(２)を清掃部取り付け台(４)に清掃部取り付け手段(２ｃ)で取り付け、ブラシング部(５)を形成し、該ブラシング部(５)が清掃具本体(１ａ)にブラシング部取り付け手段(３)によって取り付けられていることを特徴とする。
係る構成によれれば、清掃部(２)であるハケ(２ａ)及び、突起(２ｂ)を清掃部取り付け手段(２ｃ)である接着、圧縮などで清掃部取り付け台(４)に取り付けられブラシング部(５)が形成される。該ブラシング部(５)はブラシング部取り付け手段(３)である嵌合手段(３ａ)、接着手段(３ｂ)により清掃具本体(１ａ)に取り付け一対化した清掃具(１)である。ハケ(２ａ)及び、突起(２ｂ)が取り付けられる清掃部取り付け台(４)は柔軟性に富み且つ水キレのよい素材が要求され清掃部(２)を取り付けたブラシング部(５)を形成し清掃具本体(１ａ)との一対化に役立っている。
【０００８】
本考案の４によれば,前記清掃部(２)にハケ(２ａ)と突起(２ｂ)が交互に設けられていることを特徴とする。
係る構成によれば、清掃部(２)であるハケ(２ａ)及び、突起(２ｂ)を交互に清掃部取り付け手段(２ｃ)である接着、圧縮などで清掃部取り付け台(４)に取り付けブラシング部(５)を形成し、又、ハケ(２ａ)及び、突起(２ｂ)を清掃部取り付け台(４)に取り付ける際ハケ(２ａ)及び、突起(２ｂ)を交互に取り付けることでお互いのよいところを加味したブラシング部(５)に仕上げ、使い易さを引き出し、清掃具本体(１ａ)に取り付け一対化した清掃具(１)である。清掃具本体(１ａ)は従来のように洗剤をつけ柔軟性をいかし洗浄物をキズ付けることなく清掃する。又、ブラシング部(５)は焦げ付き、カッティング模様など細かい部分の汚れ落としに適している。本考案の清掃具(１)は二面性をもつ洗浄用品として持ち替えることなく二度手間かけず汚れを取り去る効果をあげている。
【０００９】
本考案の５によれば、前記ブラシング部取り付け手段(３)が嵌合突起(Ｔ)と嵌合凹部(Ｕ)との嵌合手段(３ａ)で取り付けられていることを特徴とする。
係る構成によれば、清掃具本体(１ａ)とブラシング部(５)の取り付けにブラシング部取り付け手段(３)である嵌合手段(３ａ)を用いる、ブラシング部(５)には嵌合突起(Ｔ)を設け、清掃具本体(１ａ)には嵌合凹部(Ｕ)を設け、両者を合わせることで清掃具本体(１ａ)とブラシング部(５)が一対化した清掃具(１)になる。嵌合手段(３ａ)により清掃具本体(１ａ)とブラシング部(５)の着脱が容易になる。ブラシング部(５)と清掃具本体(１ａ)の何方か一方が汚れた場合など取り替えることができ、新しい清掃具(１)として使用することができることに効果を上げている。清掃具本体(１ａ)とブラシング部(５)の取り付けの際、ブラシング部(５)には嵌合凹部(Ｕ)を設け、清掃具本体(１ａ)には嵌合突起(Ｔ)を設けることも可能である。
【００１０】
本考案の６によれば、前記ブラシング部取り付け手段(３)が接着手段(３ｂ)であることを特徴とする。
係る構成によれば、清掃具本体(１ａ)とブラシング部(５)の取り付けにブラシング部取り付け手段(３)である接着手段(３ｂ) を用いる、接着手段(３ｂ)である接着、圧縮などで取り付けることにより、清掃具本体(１ａ)とブラシング部(５)の接着が容易になる、ブラシング部(５)と清掃具本体(１ａ)を合体させ堅固に一体化して使用することができることに効果を上げている。
【００１１】
本考案の７によれば、前記清掃具本体(１ａ)の所定箇所に切り込み部(７)が設けられ、該切り込み部(７)によって切り込み片(７ａ)が切り込み部(７)の片側及び両側の少なくともいずれかに形成され、該切り込み部(７)にブラシング部(５)がブラシング部取り付け手段(３)を用いて取り付けられブラシング部(５)に清掃部(２)が設けられていることを特徴とする。
係る構成によれば、清掃具本体(１ａ)の所定箇所に切り込み部(７)を設けることで開閉する切り込み片(７ａ)が形成される、該切り込み部(７)の内部にブラシング部取り付け手段(３)によりブラシング部(５)を取り付ける構造とする。切り込み片(７ａ)の片側、又は、両側を開閉することによりハケ(２ａ)及び、突起(２ｂ)が出現し清掃効果を上げている。
【考案の効果】
【００１２】
本考案に１よれば、清掃具本体(１ａ)の所定の取り付け箇所にブラシング部(５)をブラシング部取り付け手段(３)である嵌合手段(３ａ)、又は、接着手段(３ｂ)で取り付けることにより清掃具本体(１ａ)に清掃部(２)であるハケ(２ａ)及び、突起(２ｂ)を備えた清掃具(１)になる。清掃具本体(１ａ)は従来のように洗剤をつけ柔軟性をいかし洗浄物をキズ付けることなく清掃する。又、ブラシング部(５)は焦げ付き、カッティング模様など細かい部分の汚れ落としに適している。本考案の清掃具(１)は二面性をもつ洗浄用品として持ち替えることなく二度手間かけず汚れを取り去る効果をあげている。
洗面所、流し台などの汚れ物を落とすとき、従来は、焦げ付きやこびり付きなどを洗うときは洗剤をつけスポンジで洗い、洗い残した部分はたわし、歯ブラシなど使用して洗っていたが、清掃具本体(１ａ)にハケ(２ａ)及び、突起(２ｂ)を備え一対化したことにより清掃作業が容易になり、清掃具(１)単体で汚れを取り除くことができることに効果を上げている。
【００１３】
本考案に２よれば、清掃部(２)であるハケ(２ａ)及び、突起(２ｂ)の少なくともいずれかの一方を清掃部取り付け手段(２ｃ)である接着、圧縮などで清掃部取り付け台(４)に取り付けブラシング部(５)を形成、該ブラシング部(５)はハケ(２ａ)のみもの、又は、突起(２ｂ)のみのものが清掃部(２)仕様でブラシング部(５)を形成した清掃具(１)である。洗浄物によりハケ(２ａ)のみのもの、突起(２ｂ)のみのものと使い分けが可能な清掃具(１)となる。清掃具本体(１ａ)は従来のように洗剤をつけ柔軟性をいかし洗浄物をキズ付けることなく清掃する。又、ブラシング部(５)は焦げ付き、カッティング模様など細かい部分の汚れ落としに適している。本考案の清掃具(１)は二面性をもつ洗浄用品として持ち替えることなく二度手間かけず汚れを取り去る効果をあげている。
【００１４】
本考案に３よれば、清掃部(２)であるハケ(２ａ)及び、突起(２ｂ)を清掃部取り付け手段(２ｃ)である接着、圧縮などで清掃部取り付け台(４)に取り付けられ、ブラシング部(５)が形成される。該ブラシング部(５)はブラシング部取り付け手段(３)である嵌合手段(３ａ)、接着手段(３ｂ)により清掃具本体(１ａ)に取り付け一対化した清掃具(１)である。ハケ(２ａ)及び、突起(２ｂ)が取り付けられる清掃部取り付け台(４)は柔軟性に富み且つ水キレのよい素材が要求され清掃部(２)を取り付けたブラシング部(５)を形成し清掃具本体(１ａ)との一対化に役立っている。清掃部(２)を清掃部取り付け台(４)に取り付けられ、ブラシング部(５)を形成、該ブラシング部(５)は清掃具本体(１ａ)を取り付け一対化し連動を良くするため、清掃部取り付け台(４)は柔軟性に富み且つ水キレの良い素材が要求される。例えばゴム、シリコン、パルプ、レーヨンなどを材料として用いることで柔軟性に富んだブラシング部(５)ができ清掃具本体(１ａ)とブラシング部(５)の連動が容易になり違和感なく使用することができる。
【００１５】
本考案に４よれば、清掃部(２)であるハケ(２ａ)及び、突起(２)を交互に清掃部取り付け手段(２ｃ)である接着、圧縮などで清掃部取り付け台(４)に取り付けブラシング部(５)を形成し、又、ハケ(２ａ)及び、突起(２ｂ)を清掃部取り付け台(４)に取り付ける際ハケ(２ａ)及び、突起(２ｂ)を交互に取り付けることでお互いのよいところを加味したブラシング部(５)に仕上げ、使い易さを引き出し清掃具本体(１ａ)に取り付け一対化した清掃具(１)である。清掃具本体(１ａ)は従来のように洗剤をつけ柔軟性をいかし洗浄物をキズ付けることなく清掃する。又、ブラシング部(５)は焦げ付き、カッティング模様など細かい部分の汚れ落としに適している。本考案の清掃具(１)は二面性をもつ洗浄用品として持ち替えることなく二度手間かけず汚れを取り去る効果をあげている。
【００１６】
本考案に５よれば、清掃具本体(１ａ)とブラシング部(５)の取り付けにブラシング部取り付け手段(３)である嵌合手段(３ａ)を用いる、ブラシング部(５)には嵌合突起(Ｔ)を設け、清掃具本体(１ａ)には嵌合凹部(Ｕ)を設け、両者を合わせることで清掃具本体(１ａ)とブラシング部(５)が一対化した清掃具(１)になる。嵌合手段(３ａ)により清掃具本体(１ａ)とブラシング部(５)の着脱が容易になる。ブラシング部(５)と清掃具本体(１ａ)の何方か一方が汚れた場合など取り替えることができ、新しい清掃具(１)として使用することができることに効果を上げている。清掃具本体(１ａ)とブラシング部(５)の取り付けの際、ブラシング部(５)には嵌合凹部(Ｕ)を設け、清掃具本体(１ａ)には嵌合突起(Ｔ)を設けることも可能である。
【００１７】
本考案に６よれば、清掃具本体(１ａ)とブラシング部(５)の取り付けにブラシング部取り付け手段(３)である接着手段(３ｂ) を用いる、接着手段(３ｂ)である接着、圧縮などで取り付けることにより、清掃具本体(１ａ)とブラシング部(５)の接着が容易になる、ブラシング部(５)と清掃具本体(１ａ)を合体させ堅固に一体化して使用することができることに効果を上げている。柔軟性に富み、水キレの優れた清掃本体(１ａ)とハケ(２ａ)及び、突起(２ｂ)を取り付けた弾力に優れた清掃部(２)とを接着により、堅固な清掃具(１)として幅広く使用が可能である。二度手間をかけず汚れを落とす効果を上げている
【００１８】
本考案に７よれば、清掃具本体(１ａ)の所定箇所に切り込み部(７)を設けることで開閉する切り込み片(７ａ)が形成される、該切り込み部(７)の内部にブラシング部取り付け手段(３)によりブラシング部(５)を取り付ける構造とする。切り込み片(７ａ)の片側、又は、両側を開閉することによりハケ(２ａ)及び、突起(２ｂ)が出現し清掃効果を上げている。広い面を洗うとき、例えば浴槽、洗面所など清掃する際は清掃部(２)が清掃具本体(１ａ)内部に取り込まれているので、清掃具本体(１ａ)のみ使用する形になる。細部の汚れを落とす際は、切り込み片(７ａ)を開いて内部に収納してある清掃部(２)使用する。切り込み部(７)を開閉することにより２分化利用ができる清掃具(１)として効果を上げている。
【図面の簡単な説明】
【００１９】
【図１】図1は清掃具の完成斜視図である。
【図２】図２はハケを清掃具取り付け台の取り付け図である。
【図３】図３は突起を清掃具取り付け台の取り付け図である。
【図４】図４は嵌合手段によるブラシング部と清掃具本体の取り付け図である。            図４(ａ)は取り付け前の図である。            図４(ｂ)は取り付け後の図である。
【図５】図５は接着手段によるブラシング部と清掃具本体の取り付け図である。
【図６】図６は清掃具の実施例である。
【図７】図７は切り込み部を設けた清掃具の実施例である。            図７(ａ)は切り込み部を設けた状態を示す図である。            図７(ｂ)は切り込み部の片方を開いて片側に切り込み片を設けた状態を示す            図である。            図７(ｃ)は切り込み部の両方を開いて両側に切り込み片を設けた図である。
【考案を実施するための形態】
【００２０】
本発明の１は清掃具本体(１ａ)の所定箇所にブラシング部取り付け手段(３)によってブラシング部(５)を設けた清掃具(１)であって、ブラシング部(５)に清掃部(２)が設けられていることを特徴とする。
本考案の清掃具(１)の詳細を以下図面に従って詳しく述べる。図１に示すように本考案の清掃具(１)は、ハケ(２ａ)及び、突起(２ｂ)を清掃部取り付け台(４)に清掃部取り付け手段(２ｃ)である接着、圧縮などで取り付けブラシング部(５)を形成、清掃具本体(１ａ)とブラシング部(５)をブラシング部取り付け手段(３)である嵌合手段(３ａ)、接着手段(３ｂ)で取り付け、一体化にする。清掃具本体(１ａ)と清掃部(２)が相俟って清掃具(１)が完成。清掃部(２)を取り付ける清掃部取り付け台(４)は柔軟性に富み且つ水キレのよい素材を用いる。例としてゴム、シリコン、パルプ、レーヨンなどの素材で清掃部本体(１ａ)とブラシング部(５)の連動を容易にする、違和感なく清掃具(１)として使用できる優れものである。残留付着物を二度手間かけず取り除くことができる。また、清掃具本体(１ａ)は動物、くだもの、キャラクターなどを型作り子供達も喜んで遊びながら手伝いができる優れものである。
【００２１】
本発明の２は前記ブラシング部(５)に設けられている清掃部(２)がハケ(２ａ)及び突起(２ｂ)の少なくともいずれか一方であることを特徴とする。
本考案の詳細を以下図面に従って詳しく述べる、図２に示すように前記記載のハケ(２ａ)を清掃部取り付け台(４)に清掃部取り付け手段(２ｃ)である接着、圧縮などでハケ(２ａ)を取り付け、ブラシング部(５)を形成したものである。ハケ(２ａ)の素材は洗うものをキズ、破損から守り、又、残留物の除去を考え柔軟でかつ弾力のある素材で水キレが良いものとする。素材の例としてナイロンハケ、ゴム、毛、繊維、不織布などでもよい。清掃部(２)の取り付け台である清掃部取り付け台(４)は清掃具本体(１ａ)と貼り合わせ一体で使用するため、柔軟性が要求される。素材の例としてシリコン、ゴム、パルプ、レーヨンなどでもよい。清掃部(２)はハケ(２ａ)、又は、突起(２ｂ)を入り混ぜての取り付けも可能である。
【００２２】
また、本考案の詳細を以下図面に従って詳しく述べる、図３に示すように前記記載の突起(２ｂ)を清掃部取り付け台(４)に清掃部取り付け手段(２ｃ)である接着、圧縮などで突起(２ｂ)を取り付け、ブラシング部(５)を形成したものである。突起(２ｂ)の素材は洗うものをキズ、破損から守り、又、残留物の除去を考え柔軟でかつ弾力のある素材で水キレが良いものとする。素材の例としてナイロン、毛、繊維、不織布、ゴム製品、などでもよい。清掃部(２)の取り付け台である清掃部取り付け台(４)は清掃具本体(１ａ)と貼り合わせ一体で使用するため、柔軟性が要求される。素材の例としてシリコン、ゴム、パルプ、レーヨンなどでもよい。清掃部(２)はハケ(２ａ)、又は、突起(２ｂ)を入り混ぜての取り付けも可能である。
【００２３】
本発明の３は前記清掃部(２)を清掃部取り付け台(４)に清掃部取り付け手段(２ｃ)で取り付け、ブラシング部(５)を形成し、該ブラシング部(５)が清掃具本体(１ａ)にブラシング部取り付け手段(３)によって取り付けられていることを特徴とする。
清掃部(２)であるハケ(２ａ)及び、突起(２ｂ)を清掃部取り付け手段(２ｃ)である接着、圧縮などで清掃部取り付け台(４)に取り付けブラシング部(５)が形成される、該ブラシング部(５)はブラシング部取り付け手段(３)である嵌合手段(３ａ)及び、接着手段(３ｂ)により清掃具本体(１ａ)に取り付けられ清掃具(１)を完成する。ハケ(２ａ)及び、突起(２ｂ)が取り付けられる清掃部取り付け台(４)は柔軟性に富み且つ水キレのよい素材が要求され柔軟性に優れたブラシング部(５)を形成、清掃具本体(１ａ)との一対化に役立っている。
【００２４】
本発明の４は前記清掃部(２)にハケ(２ａ)と突起(２ｂ)が交互に設けられていることを特徴とする。
本考案の詳細を以下図面に従って詳しく述べる、図４に示すように清掃部(２)であるハケ(２ａ)及び、突起(２ｂ)を交互に清掃部取り付け手段(２ｃ)である接着、圧縮などで清掃部取り付け台(４)に取り付けブラシング部(５)を形成し、又、ハケ(２ａ)及び突起(２ｂ)を清掃部取り付け台(４)に取り付ける際ハケ(２ａ)及び突起(２ｂ)を交互に取り付けることでお互いのよいところを加味したブラシング部(５)に仕上げ、清掃具本体(１ａ)に取り付け一対化した清掃具(１)である。清掃具本体(１ａ)は従来のように洗剤をつけ柔軟性をいかし洗浄物をキズ付けることなく清掃する。又、ブラシング部(５)は焦げ付き、カッティング模様など細い部分の汚れ落としに適している。本考案の清掃具(１)は二面性をもつ洗浄用品として持ち替えることなく二度手間かけず汚れを取り去る効果を上げている。ハケ(２ａ)及び、突起(２ｂ)のお互いの長所短所をカバーしあい清掃部(２)を長持ちさせることに効果を上げている。
【００２５】
本発明の５は前記ブラシング部取り付け手段(３)が嵌合突起(Ｔ)と嵌合凹部(Ｕ)との嵌合手段(３ａ)で取り付けられていることを特徴とする。
本考案の詳細を以下図面に従って詳しく述べる、図４に示すように前記記載清掃具(１)は清掃具本体(１ａ)とブラシング部(５)をブラシング部取り付け手段(３)である嵌合手段(３ａ)で取り付ける。該嵌合手段(３ａ)はブラシング部(５)に嵌合突起(Ｔ)を設け、清掃具本体(１ａ)には嵌合凹部(Ｕ)を設け両者を合わせることで一対の清掃具(１)が完成する。嵌合手段(３ａ)により清掃具本体(１ａ)とブラシング部(５)の着脱が容易になり、ブラシング部(５)と清掃具本体(１ａ)は付け替え使用することができる。清掃具本体(１ａ)又は、清掃部(２)の何れか一方が汚れた場合清掃具本体(１ａ)とブラシング部(５)を新しい商品と組み合わせ、付け替えて使用することができる。清掃具(１)として幅広く利用が可能である。
【００２６】
本発明の６は前記ブラシング部取り付け手段(３)が接着手段(３ｂ)であることを特徴とする。
本考案の詳細を以下図面に従って詳しく述べる、図５に示すように前記記載清掃具(１)は清掃具本体(１ａ)とブラシング部(５)をブラシング部取り付け手段(３)である接着手段(３ｂ)で取り付ける。該接着手段(３ｂ)は清掃具本体(１ａ)とブラシング部(５)との間に接着剤などを使用し貼り合わせることにより、清掃具本体(１ａ)とブラシング部(５)の接着部分が堅固になり一体化した清掃具(１)として使用に効果を上げている。柔軟性に富んだ、水キレの良い優れた清掃具本体(１ａ)とハケ(２ａ)、及び、突起(２ｂ)を取り付けた弾力にすぐれたブラシング部(５)とを接着により固定化し、堅固な清掃具(１)として幅広く使用が可能である。
【００２７】
本考案の詳細を以下図面に従って詳しく述べる、図６に示すように清掃具(１)の実施例であって清掃具本体(１ａ)を動物、キャラクターなどいろいろな型にし、楽しむことができる。又、嵌合手段(３ａ)の取り付け場所も、取り付ける数量も自由でホック、ボタンを嵌合にして清掃部(２)を各所に設置することも可能である。
【００２８】
本発明の７は前記清掃具本体(１ａ)の所定箇所に切り込み部(７)が設けられ、該切り込み部(７)によって切り込み片(７ａ)が切り込み部(７)の片側及び両側の少なくともいずれかに形成され、該切り込み部(７)にブラシング部(５)がブラシング部取り付手段(３)を用いて取り付けられブラシング部(５)に清掃部(２)が設けられていることを特徴とする。
本考案の詳細を以下図面に従って詳しく述べる、図７に示すように清掃具本体(１ａ)の 所定箇所に切り込み部(７)を設け、切りこみ部(７)内部にブラシング部(５)をブラシング部取り付け手段(３)で取り付ける、切り込み片(７ａ)を開閉するとハケ(２ａ)、及び、突起(２ｂ) が現れる。切り込み片(７ａ)を閉じるとハケ(２ａ)、及び、突起(２ｂ)が清掃具本体(１ａ)内部に温存され清掃具本体(１ａ)内部に取り込まれる。広範囲を洗うとき、又、洗い物にキズつけたくないときの清掃は、切りこみ部(７)内部にブラシング部(５)を閉じ込めたまま清掃具本体(１ａ)を使用する。細部の汚れ落としの清掃は、切り込み片(７ａ)を開きなかに温存してある清掃部(２)を使用する、２分化利用ができる優れものである。
【００２９】
清掃具本体(１ａ)の切り込み部(７)内側に網掛をする。又、清掃部本体(１ａ)の切り込み部(７)内側を含め網掛けする。切り込み部(７)を開き切り込み片(７ａ)を重ねると清掃部(２)であるハケ(２ａ)、及び、突起(２ｂ)が網目を突き抜ける。清掃作業後切り込み部(７)を閉じると清掃部(２)に付いた汚れがあみに残り清掃部(２)の汚れは自然に取り除かれる。イヌ、ネコなどの動物のシャンプー、ブラシングなども同様で網掛け部分に毛が残り、散れることなく後始末が大変容易である。網掛けすることにより使い勝手が広がる。
【００３０】
清掃具本体(１ａ)に清掃部(２)を取り付け際、取り付ける場所、取り付ける個数も自分の好みにより自由に取り付けることができる、例えば清掃具本体(１ａ) 片側及び両側の少なくともいずれかの面に清掃部(２)を数多く取り付けそのうえに網掛けすると丈夫になりしっかりもする。浴槽の掃除などは清掃具本体(１ａ)に洗剤を付け洗い、汚れの落ちにくいところは片面の清掃部(２)で落とすとよい。又、体洗いも清掃具本体(１ａ)にボディシャンプーを付け洗い、爪、かかとなどは清掃部(２)で落とす、広範囲の使いまわしができる優れものである。
【産業上の利用可能性】
【００３１】
細部残留付着物を二度手間かけずに取り去ることを解決する清掃具(１)であり、清掃具本体(１ａ)とブラシング部(５)の着脱が自由なためどちらかの清掃用具が汚れた場合取り替えができる優れもで、産業上の利用価値が大きい。
【符号の説明】
【００３２】
１    清掃具
１ａ  清掃具本体
２    清掃部
２ａ  ハケ
２ｂ  突起
２ｃ  清掃部取り付け手段
３    ブラシング部取り付け手段
３ａ  嵌合手段
３ｂ  接着手段                                                                  ４    清掃部取り付け台
５    ブラシング部
７    切り込み部
７ａ  切り込み片
Ｔ    嵌合突起
Ｕ    嵌合凹部
【図１】
0003199369.tif 000003
【図２】
0003199369.tif 000004
【図３】
0003199369.tif 000005
【図４】
0003199369.tif 000006
【図５】
0003199369.tif 000007
【図６】
0003199369.tif 000008
【図７】
0003199369.tif 000009